(57)【要約】【課題】発明者が所有特許を広範囲で宣伝することができ、発明利用者は要求に満たす発明を検索する必要なしに、しかも抽象的な要求にも対応できるようにすること。【解決手段】発明者端末１と、仲介者端末２と、発明利用者端末３と、売買仲介装置４とがネットワークを介して接続されている特許仲介システムであって、特許所有者が保有している特許、または発明利用者が募集する特許を、検索するための関連キーワードが前記売買仲介装置３に記録され、仲介者端末２を介して売買する。【選択図】図１
2007280294.tif 000002
【特許請求の範囲】
【請求項１】
特許所有者が保有している特許、または発明利用者が募集する特許を、検索するための関連キーワードが記録され、ネットワークを介して接続されている仲介者端末を介して売買することを特徴とする売買仲介装置。
【請求項２】
前記発明者端末がネットワークを通し、特許／アイディア情報処理手段を利用して発明者が保有している特許情報を登録し、
前記発明利用者端末がネットワークを通し、発明希望情報処理手段を利用して発明利用者がほしい発明の情報を登録し、
前記仲介者端末により登録されている特許／アイディア情報と発明希望情報処理が検索され、要求に満たす特許リストの含む紹介状が前記発明利用者端末に送信され、
前記発明利用者端末が紹介状を参考に特許を実用化し、前記発明者端末に特許採用の知らせを行うことを特徴とする請求項１記載の売買仲介装置。
【請求項３】
発明者端末と、仲介者端末と、発明利用者端末と、売買仲介装置とがネットワークを介して接続されている特許仲介システムであって、
特許所有者が保有している特許、または発明利用者が募集する特許を、検索するための関連キーワードが前記売買仲介装置に記録され、前記仲介者端末を介して売買することを特徴とする特許仲介システム。
【請求項４】
前記発明者端末はネットワークを通し、特許／アイディア情報処理手段を利用して前記売買仲介装置に発明者が保有している特許情報を登録し、
前記発明利用者端末はネットワークを通し、発明希望情報処理手段を利用して前記売買仲介装置に発明利用者がほしい発明の情報を登録し、
前記仲介者端末は売買仲介装置に登録されている特許／アイディア情報と発明希望情報処理を検索し、前記売買仲介装置を通して要求に満たす特許リストの含む紹介状を前記発明利用者端末に送信し、
前記発明利用者端末は紹介状を参考に特許を実用化し、前記売買仲介装置経由で前記発明者端末に特許採用の知らせを行うことを特徴とする請求項３記載の特許仲介システム。
【請求項５】
前記発明者端末は前記発明利用者端末より特許の権利使用料をもらい、および／または前記仲介者端末に仲介料を支払うことを特徴とする請求項３または４記載の特許仲介システム。
【請求項６】
発明者端末と、仲介者端末と、発明利用者端末と、売買仲介装置とがネットワークを介して接続されている特許仲介システムにおける販売方法であって、
特許所有者が保有している特許、または発明利用者が募集する特許を、検索するための関連キーワードが前記売買仲介装置に記録され、前記仲介者端末を介して売買することを特徴とする販売方法。
【請求項７】
前記発明者端末がネットワークを通し、特許／アイディア情報処理手段を利用して前記売買仲介装置に発明者が保有している特許情報を登録し、
前記発明利用者端末がネットワークを通し、発明希望情報処理手段を利用して前記売買仲介装置に発明利用者がほしい発明の情報を登録し、
前記仲介者端末が売買仲介装置に登録されている特許／アイディア情報と発明希望情報処理を検索し、前記売買仲介装置を通して要求に満たす特許リストの含む紹介状を前記発明利用者端末に送信し、
前記発明利用者端末が紹介状を参考に特許を実用化し、前記売買仲介装置経由で前記発明者端末に特許採用の知らせを行うことを特徴とする請求項６記載の販売方法。
【請求項８】
前記発明者端末が前記発明利用者端末より特許の権利使用料をもらい、および／または前記仲介者端末に仲介料を支払うことを特徴とする請求項６または７記載の販売方法。
方法。
【請求項９】
コンピュータに請求項１または２記載の機能を実現させることを特徴とするプログラム。
【発明の詳細な説明】
【技術分野】
【０００１】
本発明は、発明者と発明利用者がそれぞれ発明者端末または発明利用者端末からネットワークを介して「自分が所有している特許の内容」または「ほしい発明の概要」の登録を行い、仲介者によって推薦特許リストといった形で関連付けて販売する技術に関する。
【背景技術】
【０００２】
従来、発明者は自分が発明したアイディアを特許として申請する。該当アイディアが特許として成立してから、発明者本人がその特許を実用化しない限り、だれかその特許に興味を持ち、実用化した場合、はじめて発明者が権利使用料を得る。しかし、従来の方法では、次の問題点があった。
【０００３】
発明者側の問題点として特許が成立しても、実用化されなければ、権利使用料を入手することができない。登録されている特許は有効期限が過ぎるまで実現化されないこともある。その上特許の維持費がかかる。また、どんな発明が必要とされているかといった発明利用者側からの需要情報を発明のテーマとして事前に入手しにくい。
【０００４】
一方、発明利用者は自分がほしい発明を開示されている膨大な数の特許の中から探すのは、時間が掛かる作業であり、自分がほしい発明を不特定の多人数に知らせ、「自分の要望を満たす発明を推奨してくれる」というような注文ができない。
【０００５】
このように従来のビジネス方法では、発明者一人だけで発明品を宣伝する限界がある。また、発明利用者はほしい発明品を既存の特許から探すか自分で発明するかと、個人または限られた人数の組織の力に頼ってしまう問題があった。
【０００６】
ここで、特許ライセンスの用意があることの特許案件募集を行うステップと、応募された特許案件について、実施されている製品の情報提供を通信ネットワーク上に求めるステップと、通信ネットワーク上に情報提供を受け、該情報提供の価値を構成要素との対応により評価を定めるステップと、評価により情報提供者に情報提供対価の支払いを行う旨を通信ネットワーク上に回答するステップと、特許ライセンスの相手方からの支払実施料に基づいて、応募された特許案件の特許権処分権者にライセンス対価の支払いを行う旨を通信ネットワーク上に回答するステップとから構成することで、特許権を所有する特許権者に代って、通信ネットワークを駆使して特許活用する特許ライセンス事業を提供することができる技術が提案されている（例えば、特許文献１参照）。
【特許文献１】特開２００３−０８５２６８号公報
【発明の開示】
【発明が解決しようとする課題】
【０００７】
しかしながら、上述した従来例においては次のような問題点があった。
【０００８】
仲介者のために「自由に特許に対する自分のコメントや推奨理由などが書ける」機能や発明利用者のために「既存の特許の有無に限らず、自分の要求に満たす発明を自由かつ抽象的に書ける」機能を提供することができなかった。また、発明利用者の特許採用判断に「第三者の仲介者の推奨」を大きなポイントとすることが困難であった。
【０００９】
本発明は、以上説明した事情に鑑みてなされたものであり、その目的は、発明者が所有している特許をより広い範囲で宣伝することができ、発明利用者は要求に満たす発明を全て自ら検索する必要なしに、しかも抽象的な要求にも対応できるようにすることにある。
【課題を解決するための手段】
【００１０】
上記課題を解決するために、本発明は、特許所有者が保有している特許、または発明利用者が募集する特許を、検索するための関連キーワードが記録され、ネットワークを介して接続されている仲介者端末を介して売買する売買仲介装置を提供する。
【００１１】
また、本発明は、発明者端末と、仲介者端末と、発明利用者端末と、売買仲介装置とがネットワークを介して接続されている特許仲介システムであって、
特許所有者が保有している特許、または発明利用者が募集する特許を、検索するための関連キーワードが前記売買仲介装置に記録され、前記仲介者端末を介して売買する特許仲介システムを提供する。
【００１２】
また、本発明は、発明者端末と、仲介者端末と、発明利用者端末と、売買仲介装置とがネットワークを介して接続されている特許仲介システムにおける販売方法であって、
特許所有者が保有している特許、または発明利用者が募集する特許を、検索するための関連キーワードが前記売買仲介装置に記録され、前記仲介者端末を介して売買する販売方法を提供する。
【発明の効果】
【００１３】
本発明によれば、発明者が所有している特許をより広い範囲で宣伝することができ、発明利用者は要求に満たす発明を全て自ら検索する必要なしに、しかも抽象的な要求にも対応できるようにすることができる。
【発明を実施するための最良の形態】
【００１４】
以下、本発明の第１の実施の形態について図面を参照して詳細に説明する。
【００１５】
図１を参照すると、本実施の形態における特許仲介システムは、発明者端末１と、仲介者端末２と、売買仲介装置３と、発明利用者端末４と、これらを相互に接続するインターネットなどの通信ネットワーク５とから構成されている。
【００１６】
売買仲介装置３は、情報記憶装置３１とデータ処理装置３２を備えている。
【００１７】
情報記憶装置３１は、基本情報記憶部３１１と特許／アイディア情報記憶部３１２と発明希望情報記憶部３１３を備えている。
【００１８】
データ処理装置３２は、基本情報処理手段３２１と特許／アイディア情報処理手段３２２と発明希望情報処理手段３２３を備える。
【００１９】
基本情報記憶部３１１は、発明者と仲介者と発明利用者の基本情報（利用者コードや名前や住所など）を記憶している。
【００２０】
特許／アイディア情報記憶部３１２は、発明者が保有している特許に関する情報を記憶している。
【００２１】
発明希望情報記憶部３１３は、発明利用者からのほしい発明のカテゴリや解決したい問題などの情報を記憶している。
【００２２】
基本情報処理手段３２１は、発明者や仲介者や発明利用者の基本情報を基本情報記憶部３１１に登録したり、認証したりする機能を備えている。
【００２３】
特許／アイディア情報処理手段３２２は、発明者からの特許またはアイディア内容を特許／アイディア情報記憶部３１２に登録したり、仲介者や発明利用者からの検索要求を処理したりする機能を備えている。
【００２４】
発明希望情報処理手段３２３は、発明利用者からのほしい発明に関する情報を発明希望情報記憶部３１３に登録したり、発明者や仲介者からの検索要求を処理したりする機能を備えている。
【００２５】
次に、図１、２及び３を参照して本実施の形態の動作について詳細に説明する。なお、以降の説明では、ネットワーク５はインターネットであるとする。図３に発明者と仲介者と発明利用者の名前やパスワードなどの基本情報登録はできたものとし、その以降の処理流れを示すものとする。
【００２６】
発明利用者は発明利用者端末４を用いて、インターネット５を介して、売買仲介装置３に現在抱えている課題や発明してほしいものなどの情報を送信する（ステップＡ１）。売買仲介装置３は発明希望登録（ステップＡ２）を行う。
【００２７】
発明者は発明者端末１を用いて、インターネット５を介して、売買仲介装置３に自分が保有している特許情報（公開番号や概要など）と仲介成立時に仲介者へ支払う仲介料を送信する（ステップＡ３）。売買仲介装置３は特許情報登録（ステップＡ４）を行う。
【００２８】
仲介者は仲介者端末２を用いて、インターネット５を介して、売買仲介装置３の発明希望情報処理手段３２３を利用し、登録されている発明希望情報を問合せ（ステップＡ５）、売買仲介装置３は発明希望情報を送信する（ステップＡ６）。
【００２９】
次に、仲介者は売買仲介装置３の特許／アイディア情報処理手段３２２を利用し、登録されている特許／アイディア情報を問合せ（ステップＡ７）、売買仲介装置３は特許／アイディア情報を送信する（ステップＡ８）。
【００３０】
仲介者は売買仲介装置３から得られた「発明希望情報」と「特許情報」を基に図２のような自分のコメントを備えた「特許リスト」の作成し、発明利用者に送信するようにと売買仲介装置３に要求を出す（ステップＡ９）。
【００３１】
図２を参照すると、仲介者は「特許リスト」に文書を書くことができ、発明利用者の要求を考慮したアドバイス文や推奨する特許に関する紹介文を書くことができる。また、「特許リスト」の「特許公開番号」と「特許概要」と「詳細情報」欄は、売買仲介装置３から送られてきた特許／アイディア情報の中から発明利用者の要求にマッチする特許を選出し、推薦特許一覧として特許リストに自動的に加え、仲介者が完全に書く必要はない。送信要求を受けた売買仲介装置３は特許リストを発明利用者に送信する（ステップＡ１０）。
【００３２】
売買仲介装置３からの特許リストを受取った発明利用者が、特許リストに記載されている特許を実用化した(ステップＡ１１)場合、その旨売買仲介装置３および発明者に知らせ、発明者には特許の権利利用料を支払う（ステップＡ１２）。
【００３３】
特許採用の知らせを受信した売買仲介装置３はそのことを仲介者に知らせる（ステップＡ１３）。
【００３４】
発明者は発明利用者からの特許の権利利用料を受取り（ステップＡ１４）、仲介者に特許情報送信ステップ（ステップＡ３）で約束した仲介料を支払う（ステップＡ１５）。
【００３５】
最後に仲介者が仲介料を受け取る（ステップＡ１６）。
【００３６】
上記の本実施の形態によれば、発明者が所有している特許をより広い範囲で宣伝することができる。発明利用者は要求に満たす発明を全て自ら検索する必要はない、しかも抽象的な要求にも対応できる。発明者と発明利用者の間に仲介者を参入させることによって、ＳＯＨＯなどインターネットビジネスをはじめようと考えている人にビジネスのチャンスを与える効果が得られる。
【００３７】
また、要求者の求める特許を検索して、斡旋することができる。すなわち、まず、「特許仲介システム」には発明者と要求者（発明利用者）が事前にそれぞれ「保持している特許情報」と「現在抱えている課題もしくは発明してほしいものの要望情報」を登録しておき、次に、仲介者は「特許仲介システム」に登録している発明利用者の「要望情報」を見て、それに満たす「特許情報」を探し、検索した結果を「特許仲介システム」の提供機能で、発明利用者に推奨理由付きの推薦状を送付する。推薦状には、１件以上の推薦特許を書くことも可能である。このように、仲介者が候補を絞ってくれることによって、発明利用者は時間をかけて膨大な数の特許の中から「自分のほしい特許」を探さなくて済む。なお、発明利用者への推薦状送付機能の実現例として、「発明利用者へ電子メールの形式で配信する」、「特許仲介システムに発明利用者の専用電子ポストがあり、そこへ推薦状を送る。発明利用者が特許仲介システムへログインしたときにそれを読む。」などが考えられる。
【００３８】
次に、本発明の第２の実施の形態について図面を参照して詳細に説明する。
【００３９】
本実施の形態は、発明者が仲介者の役割を果たす点で、上記の第１の実施の形態と異なる。
【００４０】
図４を参照すると、発明利用者は発明利用者端末４を用いて、売買仲介装置３に発明に対する希望を登録するまでの動作（ステップＢ１からＢ２）は、上記の第１の実施の形態と同様である。
【００４１】
仲介者の代わりに発明者が発明者端末１を用いて、インターネット５を介して、売買仲介装置３の発明希望情報処理手段３２３を利用し、登録されている発明希望情報を問合せ（ステップＢ３）、売買仲介装置３は発明希望情報を送信する（ステップＢ４）。
【００４２】
発明者が売買仲介装置３から得られた発明希望を参考に、関連発明および特許申請を行い（ステップＢ５）、売買仲介装置３に取得した特許の情報（公開番号や概要など）を送信する（ステップＢ６）。売買仲介装置３は特許情報登録（ステップＢ７）を行う。なお、発明利用者の発明希望が発明者が既に所有している特許とマッチするならば、ステップＢ５からステップＢ７は省略可である。
【００４３】
発明者が売買仲介装置３の特許／アイディア情報処理手段３２２を利用し、自分の所有する特許１件のみ含めた「特許リスト」の作成し、発明利用者に送信するようにと売買仲介装置３に要求を出す（ステップＢ８）。送信要求を受けた売買仲介装置３は特許リストを発明利用者に送信するから、最終的に発明者が権利使用料を受け取るまでの動作（ステップＢ９からＢ１２）は、上記の第１の実施の形態と同様である。この場合、仲介者への仲介料の支払いは発生しない。
【００４４】
これにより、要求者の求める発明を創造して、出願することも可能となる。
【００４５】
次に、本発明の第３の実施の形態について図面を参照して詳細に説明する。
【００４６】
本実施の形態は、発明利用者の発明希望に対し、発明者は所有する特許を推奨するのではなく、発明利用者が抱えている課題を解決するアイディアを売買仲介装置３経由で発明利用者に知らせる点で、上記の第２の実施の形態と異なる。
【００４７】
図５を参照すると、発明利用者は発明利用者端末４を用いて、売買仲介装置３に発明に対する希望を登録するから、売買仲介装置３が発明者に発明希望情報を送信するまでの動作（ステップＣ１からＣ４）は、第２の実施の形態と同様である。
【００４８】
発明者が売買仲介装置３から得られた発明希望を参考に、発明利用者が抱えている課題を解決するアイディアと希望報酬料の金額を売買仲介装置３へ送信する（ステップＣ５）。売買仲介装置３は、送信されたアイディアを発明者と発明者が知らせたい発明利用者のみ参照権限を持たせるように特許／アイディア情報３１２に登録し（ステップＣ６）、発明利用者に知らせる（ステップＣ７）。
【００４９】
売買仲介装置３からのアイディアを受取った発明利用者が、該当アイディアを採用した(ステップＣ８)場合、その旨売買仲介装置３および発明者に知らせ、発明者には希望された報酬料を支払う（ステップＣ９）。
【００５０】
最後に発明者が報酬料を受け取る（ステップＣ１０）。
【００５１】
なお、上述する各実施の形態は、本発明の好適な実施の形態であり、本発明の要旨を逸脱しない範囲内において種々変更実施が可能である。例えば、発明者端末１、仲介者端末２、売買仲介装置３および発明利用者端末４の機能を実現するためのプログラムを各装置に読込ませて実行することにより各装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。
【００５２】
上述する各実施の形態は、発明者端末１、仲介者端末２、売買仲介装置３および発明利用者端末４が１つのコンピュータシステムとして実現されている構成について説明したが、各装置が別個に接続されている構成や機能毎に複数の装置などが追加された構成にも適用可能であることはもちろんである。
【図面の簡単な説明】
【００５３】
【図１】本発明の第１の実施の形態における特許仲介システムの構成を示すブロック図である。
【図２】本発明の第１の実施の形態における特許リストの一例を示す図である。
【図３】本発明の第１の実施の形態における動作を示すシーケンス図である。
【図４】本発明の第２の実施の形態における動作を示すシーケンス図である。
【図５】本発明の第３の実施の形態における動作を示すシーケンス図である。
【符号の説明】
【００５４】
１    発明者端末
２    仲介者端末
３    売買仲介装置
４    発明利用者端末
５    通信ネットワーク
３１    情報記憶装置
３２    データ処理装置
３１１    基本情報記憶部
３１２    特許／アイディア情報記憶部
３１３    発明希望情報記憶部
３２１    基本情報処理手段
３２２    特許／アイディア情報処理手段
３２３    発明希望情報処理手段
【図１】
2007280294.tif 000003
【図２】
2007280294.tif 000004
【図３】
2007280294.tif 000005
【図４】
2007280294.tif 000006
【図５】
2007280294.tif 000007